(57)【要約】【課題】入力切換の操作性の向上を図ることができる入力切換装置及びテレビジョン受像機を提供する。【解決手段】ＣＤＤカメラ１６によって撮像された画像に基づいて画像検出部１７が画像の変化を検出するとともに、対象物記憶手段に記憶された対象物情報に基づいて、何れの対象物が移動したかを判定し、制御部１３は判定された対象物に対応する外部入力に切換える。【選択図】図２
2010283559.tif 000002
【特許請求の範囲】
【請求項１】
外部入力を複数受け付ける外部入力受付手段と、
対象物を特定可能な複数種類の対象物情報と前記複数の外部入力の何れかを特定するための外部入力情報とがそれぞれ対応付けられて記憶された対象物記憶手段と、
画像を撮像する撮像手段と、
前記撮像手段によって撮像された画像に基づいて画像の変化を検出する画像検出手段と、
前記画像検出手段によって画像の変化が検出されたときに、前記対象物記憶手段に記憶された対象物情報に基づいて、何れの対象物が移動したかを判定する対象物判定手段と、
前記対象物判定手段によって判定された対象物に対応する外部入力に切換える入力切換手段と、
を備えることを特徴とする入力切換装置。
【請求項２】
所定の登録操作を受け付ける登録操作受付手段と、
前記登録操作受付手段によって前記登録操作を受け付けたときに、前記撮像手段によって撮像された被撮像物に基づいて対象物情報を生成し、該生成した対象物情報と前記複数の外部入力のうちの何れかを特定する外部入力情報とを対応付けて前記対象物記憶手段に記憶する撮像対象物登録手段と、
を備えたことを特徴とする請求項１に記載の入力切換装置。
【請求項３】
外部より対象物情報を受け付ける情報受付手段と、
前記情報受付手段によって受け付けられた対象物情報と前記複数の外部入力のうちの何れかを特定する外部入力情報とを対応付けて前記対象物記憶手段に記憶する受付対象物登録手段と、
を備えたことを特徴とする請求項１又は２に記載の入力切換装置。
【請求項４】
音声を出力する音声出力手段と、
前記音声出力手段によって出力される音声の音量が前記外部入力毎に対応付けられた音量設定データが予め記憶された音量設定情報記憶手段と、
前記音量設定情報記憶手段に記憶された音量設定データに基づいて、前記入力切換手段によって切換えられた外部入力に応じた音量に設定する音量設定手段と、
を備えることを特徴とする請求項１〜３の何れか一項に記載の入力切換装置。
【請求項５】
個人の顔を特定可能な顔情報が記憶された顔情報記憶手段と、
前記撮像手段よって撮像された画像に基づいて個人の顔を検出する顔検出手段と、
前記顔検出手段によって検出した個人の顔を、前記顔情報記憶手段に記憶された顔情報に基づいて何れの個人であるかを特定する個人特定手段と、を備え、
前記音量設定情報記憶手段は、前記音量設定データが前記顔情報記憶手段に記憶された顔情報毎に対応付けられて記憶されており、
前記音量設定手段は、前記音量設定データに基づいて、入力切換手段によって切換えられた外部入力及び前記個人特定手段によって特定された個人に応じた音量に設定することを特徴とする請求項４に記載の入力切換装置。
【請求項６】
外部入力を複数受け付ける外部入力受付手段と、
対象物を特定可能な複数種類の対象物情報と前記複数の外部入力の何れかを特定するための外部入力情報とがそれぞれ対応付けられて記憶された対象物記憶手段と、
画像を撮像する撮像手段と、
前記撮像手段によって撮像された画像に基づいて画像の変化を検出する画像検出手段と、
前記画像検出手段によって画像の変化が検出されたときに、前記対象物記憶手段に記憶された対象物情報に基づいて、何れの対象物が移動したかを判定する対象物判定手段と、
前記対象物判定手段によって判定された対象物に対応する外部入力に切換える入力切換手段と、
所定の登録操作を受け付ける登録操作受付手段と、
前記登録操作受付手段によって前記登録操作を受け付けたときに、前記撮像手段によって撮像された被撮像物に基づいて対象物情報を生成し、該生成した対象物情報と前記複数の外部入力のうちの何れかの外部入力情報とを対応付けて前記対象物記憶手段に記憶する撮像対象物登録手段と、
外部より対象物情報を受け付ける情報受付手段と、
前記情報受付手段によって受け付けられた対象物情報と前記複数の外部入力のうちの何れかの外部入力情報とを対応付けて前記対象物記憶手段に記憶する受付対象物登録手段と、
個人の顔を特定可能な顔情報が記憶された顔情報記憶手段と、
前記撮像手段よって撮像された画像に基づいて個人の顔を検出する顔検出手段と、
前記顔検出手段によって検出した個人の顔を、前記顔情報記憶手段に記憶された顔情報に基づいて何れの個人であるかを特定する個人特定手段と、
音声を出力する音声出力手段と、
前記音声出力手段によって出力される音声の音量が前記外部入力毎及び前記顔情報記憶手段に記憶された顔情報毎に対応付けられた音量設定データが予め記憶された音量設定情報記憶手段と、
前記音量設定情報記憶手段に記憶された音量設定データに基づいて、前記入力切換手段によって切換えられた外部入力及び前記個人特定手段によって特定された個人に応じた音量に設定する音量設定手段と、
を備えることを特徴とする入力切換装置。
【請求項７】
請求項１〜６の何れか一項に記載の入力切換装置を備えたことを特徴とするテレビジョン受像機。
【発明の詳細な説明】
【技術分野】
【０００１】
本発明は、複数の外部入力を切換え可能な入力切換装置に関し、特に、遠隔操作により外部入力の切換えが可能な入力切換装置及びこの入力切換装置を備えたテレビジョン受像機に関する。
【背景技術】
【０００２】
一般的に、テレビジョン受像機等の機器における外部入力の切換えは、赤外線通信を行うリモートコントロール装置（リモコン装置）による遠隔操作によってなされていた。また、外部入力に接続された機器を操作する場合にもそれぞれの機器に付属するリモコンが用いられる。このため、操作者は、リモコン装置によって外部入力の切換えを行った後、使用する機器に付属するリモコン装置に持ち替えて機器の操作をしなければならず、操作者にとっては大変煩わしく不便なものであった。そこで、例えば、従来の遠隔操作手段として、人体の動きや指の形などを撮像して、その動き等を認識し、当該認識結果に対応する動作を行わせるようにして、リモコン装置による操作を不要とするものがあった（特許文献１）
【先行技術文献】
【特許文献】
【０００３】
【特許文献１】特開２００４−３４９９１５号公報
【発明の概要】
【発明が解決しようとする課題】
【０００４】
しかしながら、上記特許文献に開示された遠隔操作手段を利用しても、従来のリモコン装置による外部入力切換操作と同様、依然として、外部入力を切替えるための独自の操作を必要としていることに変わりはなく、操作者にとっては、外部入力切換の煩わしさが残っていた。
【０００５】
本発明の課題は、入力切換の操作性の向上を図ることができる入力切換装置及びテレビジョン受像機を提供することである。
【課題を解決するための手段】
【０００６】
以上の課題を解決するため、請求項１に記載の発明は、入力切換装置において、外部入力を複数受け付ける外部入力受付手段と、
対象物を特定可能な複数種類の対象物情報と前記複数の外部入力の何れかを特定するための外部入力情報とがそれぞれ対応付けられて記憶された対象物記憶手段と、
画像を撮像する撮像手段と、
前記撮像手段によって撮像された画像に基づいて画像の変化を検出する画像検出手段と、
前記画像検出手段によって画像の変化が検出されたときに、前記対象物記憶手段に記憶された対象物情報に基づいて、何れの対象物が移動したかを判定する対象物判定手段と、
前記対象物判定手段によって判定された対象物に対応する外部入力に切換える入力切換手段と、
を備えることを特徴とする。
【０００７】
請求項２に記載の発明は、請求項１に記載の入力切換装置であって、所定の登録操作を受け付ける登録操作受付手段と、
前記登録操作受付手段によって前記登録操作を受け付けたときに、前記撮像手段によって撮像された被撮像物に基づいて対象物情報を生成し、該生成した対象物情報と前記複数の外部入力のうちの何れかを特定する外部入力情報とを対応付けて前記対象物記憶手段に記憶する撮像対象物登録手段と、
を備えたことを特徴とする。
【０００８】
請求項３に記載の発明は、請求項１又は２に記載の入力切換装置であって、外部より対象物情報を受け付ける情報受付手段と、
前記情報受付手段によって受け付けられた対象物情報と前記複数の外部入力のうちの何れかを特定する外部入力情報とを対応付けて前記対象物記憶手段に記憶する受付対象物登録手段と、
を備えたことを特徴とする。
【０００９】
請求項４に記載の発明は、請求項１〜３の何れか一項に記載の入力切換装置であって、音声を出力する音声出力手段と、
前記音声出力手段によって出力される音声の音量が前記外部入力毎に対応付けられた音量設定データが予め記憶された音量設定情報記憶手段と、
前記音量設定情報記憶手段に記憶された音量設定データに基づいて、前記入力切換手段によって切換えられた外部入力に応じた音量に設定する音量設定手段と、
を備えることを特徴とする。
【００１０】
請求項５に記載の発明は、請求項４に記載の入力切換装置であって、個人の顔を特定可能な顔情報が記憶された顔情報記憶手段と、
前記撮像手段よって撮像された画像に基づいて個人の顔を検出する顔検出手段と、
前記顔検出手段によって検出した個人の顔を、前記顔情報記憶手段に記憶された顔情報に基づいて何れの個人であるかを特定する個人特定手段と、を備え、
前記音量設定情報記憶手段は、前記音量設定データが前記顔情報記憶手段に記憶された顔情報毎に対応付けられて記憶されており、
前記音量設定手段は、前記音量設定データに基づいて、入力切換手段によって切換えられた外部入力及び前記個人特定手段によって特定された個人に応じた音量に設定することを特徴とする。
【００１１】
請求項６に記載の発明は、入力切換装置において、外部入力を複数受け付ける外部入力受付手段と、
対象物を特定可能な複数種類の対象物情報と前記複数の外部入力の何れかを特定するための外部入力情報とがそれぞれ対応付けられて記憶された対象物記憶手段と、
画像を撮像する撮像手段と、
前記撮像手段によって撮像された画像に基づいて画像の変化を検出する画像検出手段と、
前記画像検出手段によって画像の変化が検出されたときに、前記対象物記憶手段に記憶された対象物情報に基づいて、何れの対象物が移動したかを判定する対象物判定手段と、
前記対象物判定手段によって判定された対象物に対応する外部入力に切換える入力切換手段と、
所定の登録操作を受け付ける登録操作受付手段と、
前記登録操作受付手段によって前記登録操作を受け付けたときに、前記撮像手段によって撮像された被撮像物に基づいて対象物情報を生成し、該生成した対象物情報と前記複数の外部入力のうちの何れかの外部入力情報とを対応付けて前記対象物記憶手段に記憶する撮像対象物登録手段と、
外部より対象物情報を受け付ける情報受付手段と、
前記情報受付手段によって受け付けられた対象物情報と前記複数の外部入力のうちの何れかの外部入力情報とを対応付けて前記対象物記憶手段に記憶する受付対象物登録手段と、
個人の顔を特定可能な顔情報が記憶された顔情報記憶手段と、
前記撮像手段よって撮像された画像に基づいて個人の顔を検出する顔検出手段と、
前記顔検出手段によって検出した個人の顔を、前記顔情報記憶手段に記憶された顔情報に基づいて何れの個人であるかを特定する個人特定手段と、
音声を出力する音声出力手段と、
前記音声出力手段によって出力される音声の音量が前記外部入力毎及び前記顔情報記憶手段に記憶された顔情報毎に対応付けられた音量設定データが予め記憶された音量設定情報記憶手段と、
前記音量設定情報記憶手段に記憶された音量設定データに基づいて、前記入力切換手段によって切換えられた外部入力及び前記個人特定手段によって特定された個人に応じた音量に設定する音量設定手段と、
を備えることを特徴とする。
【００１２】
請求項７に記載の発明は、テレビジョン受像機において、請求項１〜６の何れか一項に記載の入力切換装置を備えたことを特徴とする。
【発明の効果】
【００１３】
本発明によれば、入力切換の操作性の向上を図ることができる入力切換装置及びテレビジョン受像機を提供することができる。
【図面の簡単な説明】
【００１４】
【図１】本発明に係るデジタルテレビジョン受像機及びこれに接続される外部機器の配置を表す概要図である。
【図２】本発明に係るデジタルテレビジョンの要部構成を表すブロック図である。
【図３】本発明に係るデジタルテレビジョンの機能を表す機能ブロック図である。
【図４】本発明に係るデジタルテレビジョンの制御部にて実行されるプログラムを表すフローチャートである。
【図５】本発明に係るデジタルテレビジョンの制御部にて実行されるプログラムを表すフローチャートである。
【図６】本発明に係るデジタルテレビジョンの制御部にて実行されるプログラムを表すフローチャートである。
【図７】本発明に係るデジタルテレビジョンの制御部にて実行されるプログラムを表すフローチャートである。
【図８】本発明に係るデジタルテレビジョンの制御部に記憶されたデータテーブルを表す図である。
【図９】本発明に係るデジタルテレビジョン受像機の表示画面に表示された映像を表す図である。
【図１０】本発明に係るデジタルテレビジョン受像機の表示画面に表示された映像を表す図である。
【図１１】本発明に係るデジタルテレビジョン受像機の表示画面に表示された映像を表す図である。
【図１２】本発明に係るデジタルテレビジョン受像機の表示画面に表示された映像を表す図である。
【図１３】本発明に係るデジタルテレビジョンの画像検出部にて実行されるプログラムを表すフローチャートである。
【図１４】本発明に係るデジタルテレビジョンの画像検出部にて実行されるプログラムを表すフローチャートである。
【図１５】本発明に係るデジタルテレビジョンの画像検出部にて実行されるプログラムを表すフローチャートである。
【図１６】本発明に係るデジタルテレビジョンの画像検出部に記憶されたデータテーブルを表す図である。
【図１７】本発明に係るデジタルテレビジョン受像機及びこれに接続される外部機器の配置を表す概要図である。
【図１８】本発明に係るデジタルテレビジョンの有するＣＣＤカメラによって撮像された画像を表す図である。
【図１９】本発明に係るデジタルテレビジョン受像機の表示画面に表示された映像を表す図である。
【図２０】本発明に係るデジタルテレビジョン受像機及びこれに接続される外部機器の配置を表す概要図である。
【図２１】本発明に係るデジタルテレビジョン受像機の表示画面に表示された映像を表す図である。
【発明を実施するための形態】
【００１５】
以下、図面を参照して、この発明の実施形態について説明する。
【００１６】
図１に示すように、家屋内の部屋Ｒ内には、ＡＶボードＢと、ＡＶボードＢの左右両側に配置されたスピーカＳＰと、ＡＶボードＢの前側に配置されたテーブルＴが設けられている。
【００１７】
ＡＶボードＢは、前面側が開放された箱型形状により構成されている。ＡＶボードＢの上面には、テレビジョン受像機としてのデジタルテレビジョン受像機１００の本体部１と、ユーザが本体部１に対して各種指示を行うリモートコントローラとしてのＴＶリモコン２と、ゲーム機４０１と、オーディオアンプ５０１が載置されている。また、ＡＶボードＢの内部には、録画再生装置としてのハードディスクレコーダ２０１と、衛星放送受信用チューナとしてのＣＳチューナ３０１が収容されている。
テーブルＴの上面には、遠隔操作装置１８と、ハードディスクレコーダ２０１に対して各種指示を行うリモートコントローラとしてのＨＤＤリモコン２０２と、ＣＳチューナ３０１に対して各種指示を行うリモートコントローラとしてのＣＳチューナリモコン３０２と、ゲーム機４０１に対して各種指示を行うコントローラ４０２とが載置されている。
【００１８】
本体部１は、詳しくは後述するが、アンテナを介して受信したデジタル放送データを所定の処理により変換し、変換されたデジタル放送データを映像出力及び音声出力することによってデジタル放送の視聴が可能となっている。
【００１９】
ＴＶリモコン２は、ユーザが本体部１に対して各種指示を入力するための複数のキーを備える。
ＴＶリモコン２に備わるこれらのキーの各々には識別情報が割り当てられている。そして、ユーザによりキー操作が行われると、操作されたキーの識別情報に対応するリモコン信号が生成される。そして、生成されたリモコン信号が図示しない投光部から赤外線信号により送信され、本体部１の前面パネルに設けられたリモコン信号受光部３において受信される。
【００２０】
ハードディスクレコーダ２０１は、図示しないアンテナを介して受信したデジタル放送データを所定の処理により変換し、図示しない記録媒体としてのハードディスクへ記録することにより録画を行うことができる。また、ハードディスクレコーダ２０１は、本体部１に接続され、記録されたデジタル放送データの送信を行うことにより、本体部１にて録画されたデジタル放送の視聴が可能となっている。また、ハードディスクレコーダ２０１は、ＣＤ−ＲＯＭ、ＤＶＤ−ＲＯＭ等の記録媒体を受け付け、この記録媒体に記録された映像データ及び音声データを読み出して本体部１へ送信することにより、本体部１にて記録媒体に記録されたコンテンツの視聴が可能となっている。
【００２１】
ＨＤＤリモコン２０２は、ユーザがハードディスクレコーダ２０１に対して各種指示を入力するための複数のキーを備える。
ＨＤＤリモコン２０２に備わるこれらのキーの各々には識別情報が割り当てられている。そして、ユーザによりキー操作が行われると、操作されたキーの識別情報に対応するリモコン信号が生成される。そして、生成されたリモコン信号が図示しない投光部から赤外線信号により送信され、ハードディスクレコーダ２０１の前面パネル等に設けられた受光部において受信される。
【００２２】
ＣＳチューナ３０１は、図示しないアンテナを介して受信した衛星デジタル放送データを所定の処理により変換し、外部へ出力することが可能となっている。そして、ＣＳチューナ３０１は、本体部１やハードディスクレコーダ２０１へ接続可能であり、これら装置へ、変換された衛星デジタル放送データの送信を行うことにより、衛星デジタル放送の視聴あるいは録画が可能となっている。
【００２３】
ＣＳチューナリモコン３０２は、ユーザがＣＳチューナ３０１に対して各種指示を入力するための複数のキーを備える。
ＣＳチューナリモコン３０２に備わるこれらのキーの各々には識別情報が割り当てられている。そして、ユーザによりキー操作が行われると、操作されたキーの識別情報に対応するリモコン信号が生成される。そして、生成されたリモコン信号が図示しない投光部から赤外線信号により送信され、ＣＳチューナ３０１の前面パネル等に設けられた受光部において受信される。
【００２４】
ゲーム機４０１は、図示しないハードディスク、ＣＤ−ＲＯＭ、ＤＶＤ−ＲＯＭ等の記録媒体に記録された記録情報に基づいて各種ゲームの制御を行うことができる。また、ゲーム機４０１は、本体部１に接続され、記録媒体に記録された記録情報に基づいて生成される映像データ及び音声データの送信を行うことにより、本体部１にてゲームの内容の表示及び音声出力が可能となる。
【００２５】
コントローラ４０２は、ユーザがゲーム機４０１に対して各種指示を入力するための複数のキーを備える。
コントローラ４０２に備わるこれらのキーの各々には識別情報が割り当てられている。そして、ユーザによりキー操作が行われると、操作されたキーの識別情報に対応する操作信号が生成される。そして、生成された操作信号が図示しない投光部から赤外線信号により送信され、ゲーム機の前面パネル等に設けられた受光部において受信される。
【００２６】
オーディオアンプ５０１は、図示しない複数の入力部の何れかに入力された外部からの音声データを所定の音声処理によって音声信号に変換し、スピーカＳＰへ音声信号を出力することにより、スピーカＳＰによって音声出力を行わせるものである。なお、図示しないが、オーディオアンプ５０１の前面パネルには受光部が設けられ、例えば、付属のオーディオアンプ用リモートコントローラからの赤外線信号を受信することができる。そして、オーディオアンプ５０１は、オーディオアンプ用リモートコントローラからの赤外線信号に基づいて、電源のＯＮ／ＯＦＦや入力部の切換え等を行う。
ここで、ハードディスクレコーダ２０１、ＣＳチューナ３０１及びゲーム機４０１は、それぞれ本体部１の他、オーディオアンプ５０１にもケーブル接続されており、オーディオアンプ５０１に対しても音声データの送信が可能となっている。なお、ハードディスクレコーダ２０１、ＣＳチューナ３０１及びゲーム機４０１の音声データの送信に係るケーブルは、本体部１とオーディオアンプ５０１の何れか一方にのみ接続可能としてもよいし、双方とも接続可能に構成してもよい。
【００２７】
遠隔操作装置１８は、本体部１の遠隔操作信号出力部１９から出力される無線データの受信が可能である。そして、遠隔操作装置１８は、受信した無線データに基づいてリモコン信号を生成し、生成されたリモコン信号を図示しない投光部から赤外線信号により送信するように構成されている。
【００２８】
次に、図２及び図３を参照しながら、本実施形態にて用いられるデジタルテレビジョン受像機１００の要部構成について説明する。
図２は、本実施形態におけるデジタルテレビジョン受像機１００の要部構成を表すブロック図である。
本実施形態のデジタルテレビジョン受像機１００は、図２に示すように、ユーザが各種指示を入力するＴＶリモコン２と、このＴＶリモコン２により遠隔操作される本体部１と、この本体部１から出力される無線信号を受信する遠隔操作装置１８と、を備えて構成されている。
【００２９】
本体部１は、ＴＶリモコン２からのリモコン信号を受信するリモコン信号受光部３、地上デジタル放送・ＢＳデジタル放送・ＣＳデジタル放送等の放送データを受信するアンテナ４、アンテナ４により受信されたデジタル放送データから希望チャンネルのデジタル放送データを選局する受信手段としてのチューナ５、チューナ５により選局されたデジタル放送データをトランスポートストリーム（TS：Transport Stream）に復調する復調部６、復調部６により復調されたＴＳを複数のデータに分離してデコードするデコーダ部７、復号された映像信号に対して所定の映像処理を行う映像処理部８、復号された音声信号に対して所定の音声処理を行う音声処理部９、映像処理部８により処理された映像信号にＯＳＤデータを付加するＯＳＤ回路１０、映像処理部８により処理された映像信号を出力する表示部１１、音声処理部９により処理された音声信号を出力する音声出力部１２、デジタルテレビジョン受像機１００全体を統括制御する制御部１３、外部機器を接続するための複数の外部入力端子１４１〜１４４を備える入力端子部１４、各放送種別の放送データ及び各外部機器からのコンテンツデータを切換選択するための入力切換部１５、画像を撮像するＣＣＤカメラ１６、ＣＣＤカメラ１６により撮像された画像から所定の画像の検出を行う画像検出部１７、遠隔操作装置１８へ無線信号を出力する遠隔操作信号出力部１９、ＬＡＮケーブルを接続して外部とのデータの送受信を行うＬＡＮインターフェース２０等を備えており、各部はバス等により接続されている。
【００３０】
リモコン信号受光部３は、例えば、図示は省略するが、フォトダイオード、ＳＵＢＣＰＵ、増幅部、復調部、デコーダ等を備えて構成されており、リモートコントローラ２から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１３に対して出力する。制御部１３では、入力されたリモコン信号から識別情報を取得し、取得した識別情報に基づいて操作されたキーの判別を行う。
【００３１】
アンテナ４は、例えば、ＵＨＦアンテナ、ＢＳ・ＣＳアンテナ等であり、屋外において所定の方向に向けて配置され、図示しないテレビジョン放送局等から発信される高周波（RF）のデジタル放送データを受信する。
チューナ５は、例えば、地上デジタル放送、ＢＳデジタル放送、ＣＳデジタル放送等の各放送方式に対応するチューナを備えて成る。例えば、地上デジタルチューナは、アンテナ４等により入力された高周波信号のデジタル放送データの中から、ＢＰＦ（バンドパスフィルタ）により特定周波数帯の信号を抽出して増幅し、局部発振器及びミキサにより周波数変換する。さらに、ＢＰＦにより特定周波数帯の信号を抽出して、低周波信号に変換した後にＬＰＦ（ローパスフィルタ）を介してＡＤ変換等を行い、復調部６に出力する。また、例えば、ＢＳ・ＣＳチューナは、ＩＦ信号に変換されたデジタル放送データを増幅した後に、局部発振器及び２つのミキサにより所定の信号を生成する。そして、ＬＰＦを介して特定周波数帯の信号を取得した後に、ＡＤ変換等を行って復調部６に出力する。
【００３２】
復調部６は、例えば、地上デジタル放送、ＢＳデジタル放送、ＣＳデジタル放送等の各放送方式に対応する復調部を備えて成り、制御部１３からの制御に基づいて、チューナ５において選局されたチャンネルの信号に対してデジタル復調や誤り訂正などの処理を実行し、ＴＳを生成して、分離部７１に出力する。
【００３３】
デコーダ部７は、例えば、分離部７１、ビデオデコーダ７２、オーディオデコーダ７３、データデコーダ７４等を備えて構成されている。
分離部７１は、復調部６から入力されるデジタル放送データをビデオデータ、オーディオデータ、ＰＳＩ（Program Specific Information:番組特定情報）、ＳＩ（Service Information:番組配列情報）等の複数のストリームに分離する。
【００３４】
ビデオデコーダ７２は、分離部７１から入力されたビデオストリームをデコードする。具体的には、ビデオデコーダ７２は、ビデオストリームに、可変長復号化、逆量子化、逆ＤＣＴ、動き補正等の各種処理を行うことで、ビデオストリームをＤＴＳ(Decoding TimeStamp)に応じたタイミングでデコードし、映像データを生成して映像処理部８に出力する。
オーディオデコーダ７３は、分離部７１から入力されたオーディオストリームをデコードし、音声データを生成して音声処理部９に出力する。
データデコーダ７４は、分離部７１から入力された字幕データ、ＳＩ等をデコードし、制御部１３、ＯＳＤ回路１０等に出力する。制御部１３に入力されたＳＩは、ＥＰＧ情報として図示しないＥＰＧメモリに格納されることとなる。
【００３５】
映像処理部８は、ビデオデコーダ７２から入力された映像データに対して各種映像処理を施し、映像信号を生成する。生成された映像信号は、フレームメモリ（図示省略）に一旦格納された後に、ＰＴＳ(Presentation Time Stamp)に応じた再生タイミングで、表示部１１に出力される。
また、音声処理部９は、オーディオデコーダ７３から入力された音声データに対して各種音声処理を施して、音声信号を生成し、ＰＴＳに応じた再生タイミングで、音声出力部１２に出力する。
ＯＳＤ回路１０は、ＥＰＧの表示に際して、ＥＰＧメモリに格納されたＳＩから必要なデータを読み出し、読み出したデータに基づいてＥＰＧ表示用データを生成する。そして、生成されたＥＰＧ表示用データを、映像処理部８から出力される映像信号に合成させ、表示部１１においてＥＰＧを表示させる。
【００３６】
表示部２９は、例えば、ＬＣＤ（Liquid Crystal Display）、ＰＤＰ（Plasma Display Panel）、有機ＥＬ(Electro Luminescence)ディスプレイ等の図示しないディスプレイを備え、映像処理部２６から入力された映像信号に基づく映像を当該ディスプレイの表示領域１１ａに表示させる。
【００３７】
音声出力部１２は、例えば、図示しないスピーカ等を備え、音声処理部９から入力された音声信号に基づく音声を増幅して、スピーカにより出力させる。
【００３８】
このように、音声出力部１２は、音声を出力する音声出力手段を構成する。
【００３９】
制御部１３は、ＣＰＵ（Central Processing Unit）１３１、ＳＴＣ(System Time Clock)等を備える計時部１３２、ＲＡＭ（Random Access Memory）１３３等の揮発性メモリ、ＥＰＲＯＭ（Erasable Programmable ROM）１３４等の不揮発性メモリ、ＲＯＭ（Read Only Memory）１３５等を備えて構成されている。
【００４０】
ＣＰＵ１３１は、本体部１の各部から入力された入力信号や、リモートコントローラ２における各種キーの押下操作によって入力されたリモコン信号等に応じて、ＲＯＭ１３５に格納された各種プログラムを実行するとともに、実行にかかるプログラムに基づいて本体部１の各部に出力信号を出力することにより、デジタルテレビジョン受像機１００の動作全般を統括制御する。
【００４１】
ＲＡＭ１３３は、ＣＰＵ１３１のワークエリアとして用いられ、ＣＰＵ１３１によって各種プログラムが実行される際に生じる処理結果や、入力されたデータ等を記憶する。
【００４２】
ＥＰＲＯＭ１３４は、例えば、入力端子選択メモリ１３４ａ、音量設定メモリ１３４ｂ及び外部音声機器電源設定メモリ１３４ｃを備える。
【００４３】
入力端子選択メモリ１３４ａには、例えば、図８（ａ）に示すように、後述する外部入力端子切換設定プログラム１３５ｂの実行においてユーザにより登録された対象物に対応する外部入力端子１４、対象物の名称及び電源ボタンデータの各データが格納される。
【００４４】
音量設定メモリ１３４ｂには、例えば、図８（ｂ）に示すように、後述するユーザ登録設定プログラム１３５ｃの実行においてユーザにより登録されたユーザの名称、外部入力端子１４毎に設定される音量及びガイダンスにおいて用いられる言語を決定するためのデータが格納される。
【００４５】
外部音声機器電源設定メモリ１３４ｃには、例えば、図８（ｃ）に示すように、後述するユーザ登録設定プログラム１３５ｃの実行においてユーザにより登録された外部音声機器としてのオーディオアンプ５０１に対する遠隔操作による電源操作の可否を決定するためのデータが格納される。
【００４６】
このように、ＥＰＲＯＭ１３４は、対象物を特定可能な複数種類の対象物情報と複数の外部入力の何れかを特定するための外部入力情報とがそれぞれ対応付けられて記憶された対象物記憶手段を構成する。
また、ＥＰＲＯＭ１３４は、音声出力手段によって出力される音声の音量が外部入力毎に対応付けられた音量設定データが予め記憶された音量設定情報記憶手段を構成する。
【００４７】
ＲＯＭ１３５は、不揮発性メモリから成るプログラム格納エリアを有しており、具体的には、入力切換プログラム１３５ａ、外部入力端子切換設定プログラム１３５ｂ、ユーザ登録設定プログラム１３５ｃ等を格納している。
入力切換プログラム１３５ａは、例えば、ＣＰＵ１３１に、対象物の移動を検出したときに、この対象物に対応する外部入力端子へ入力を切り替える機能を実現させるためのプログラムである。
外部入力端子切換設定プログラム１３５ｂは、例えば、ＣＰＵ１３１に、対象物を移動させたときに対応する外部入力端子への入力の切り替えを行わせるために、当該対象物の画像データを外部入力端子に対応付けて記憶する機能を実現させるためのプログラムである。
ユーザ登録設定プログラム１３５ｃは、ユーザの顔を認識して所望とする音量設定を外部入力端子毎に行わせるための設定を行う機能を実現させるためのプログラムである。
【００４８】
入力端子部１４は、例えば、本体部１の前面部や背面部等に設けられており、各種外部機器（ハードディスクレコーダ２０１、ＣＳチューナ３０１、ゲーム機４０１等）を接続する複数の外部入力端子１４１〜１４４を備える。各外部入力端子１４１〜１４４には、外部機器のケーブルが接続され、ケーブルを介して外部機器から入力されるコンテンツデータを各外部入力端子１４１〜１４４において受信する。
入力端子部１４に備わる複数の外部入力端子１４１〜１４４（外部入力１〜４）は、例えば、輝度信号と色信号を別々に伝送するセパレート映像端子（Ｓ端子）、輝度信号と２つの色差信号（B-Y色差信号・R-Y色信号）を別々に伝送するコンポーネント映像端子、輝度信号と２つの色差信号（B-Y色差信号・R-Y色信号）を１本のケーブルで別々に伝送するＤ映像端子、映像信号・音声信号・制御信号の非圧縮デジタル信号を１本のケーブルで伝送するＨＤＭＩ（High Definition Multimedia Interface）端子、各映像端子に対応する音声端子（図示省略）等である。
【００４９】
このように、入力端子部１４は、外部入力を複数受け付ける外部入力受付手段を構成する。
【００５０】
入力切換部１５は、デジタルテレビジョン受像機１００で受信可能な複数の放送種別の放送データと、デジタルテレビジョン受像機１００に接続された各外部機器から入力されるコンテンツデータのうちから、何れかを接続する切換処理を行うことにより、各放送種別の放送データ及び外部機器から入力されるコンテンツデータを受信して、必要な場合には、デコーダ部７を介して、後段の映像処理部８、音声処理部９等に出力する。
具体的には、対象物としてのハードディスクレコーダ２０１のＨＤＤリモコン２０２、ＣＳチューナ３０１のＣＳチューナリモコン３０２及びゲーム機４０１のコントローラ４０２の位置が変化すると、後述するように、撮像手段であるＣＣＤ１６にて撮像された画像に基づいて、画像検出部１７にてこれを検出する。すると、画像検出部１７における検出結果に基づいて、検出した対象物に対応する外部機器への入力切換選択を指示する制御信号が制御部１３から出力される。入力切換部１５は、制御部１３からの制御信号に従って、検出した対象物に対応して設定されている外部機器に入力を切換える。
【００５１】
このように、入力切換部１５は、対象物判定手段によって判定された対象物に対応する外部入力に切換える入力切換手段を構成する。
【００５２】
ＣＣＤカメラ１６は、本体部１の前面中央上部に設けられており、表示領域１１ａに対向する被写体（ユーザ及び対象物）を撮像する。このＣＣＤカメラ１６は、例えば、ピント制御可能な複数のレンズで構成されるレンズ群と、ＣＣＤ等の撮像素子を備える。そして、レンズ群によって撮像素子の撮像面の全領域に集光された光を光電変換により画素ごとの映像信号として出力し、撮像画像を生成する。
【００５３】
このように、ＣＣＤカメラ１６は、画像を撮像する撮像手段を構成する。
【００５４】
画像検出部１７は、ＣＣＤカメラ１６にて撮像された画像に基づいて、ユーザの識別及び対象物の変位を検出するものである。
【００５５】
遠隔操作信号出力部１９は、制御部１３からの指令に応じて、遠隔操作装置１８から赤外線信号を出力させるための指令を無線出力する。その結果、遠隔操作装置１８は、図示しない投光部から赤外線信号を出力する。
【００５６】
ＬＡＮインターフェース２０は、ＬＡＮケーブルを接続可能であって、外部からの対象物情報等のデータの送受信を行うものである。
【００５７】
このように、ＬＡＮインターフェース２０は、外部より対象物情報を受け付ける情報受付手段を構成する。
【００５８】
モデム２１は、本体部１とＬＡＮケーブルによって接続され、インターネット回線などのネットワークＮを介して外部機器のメーカー（Ｃ１〜Ｃ３）やデジタルテレビジョン受像機のメーカー等とのデータの送受信を可能にするものである。
【００５９】
ここで、図３を参照して画像検出部１７について詳述する。
図３は、本実施形態におけるデジタルテレビジョン受像１００における画像検出部１７の機能を表す機能ブロック図である。
【００６０】
画像検出部１７は、画像入力部１７２と、画像比較部１７３と、バッファ１７４と、対象物画像情報記憶部１７６と、ユーザ画像情報記憶部１７７とを備えている。
【００６１】
画像入力部１７２は、ＣＣＤカメラ１６により撮像した画像を取り込み、所定の加工を行って画像比較部１７３へ送るものである。また、画像入力部１７２は、画像比較部１７３からの指令に従って、ＣＣＤカメラ１６により撮像した画像から対象物を特定するための対象物情報としての対象物画像データや、ユーザを特定するための顔画像データを生成して対象物画像情報記憶部１７６あるいはユーザ画像情報記憶部１７７へ送るものである。
【００６２】
画像比較部１７３は、画像入力部１７２から送られた画像と、バッファ１７４に記憶された基準画像とを比較し、両画像の差分を判定する。そして、画像比較部１７３は、その差分が所定の閾値を超えていた場合に、差分を抽出し、対象物画像情報記憶部１７７に記憶された対象物画像データを参照して、差分に含まれるものがあるか否かを判定する。そして、画像比較部１７３は、その判定結果を制御部１３へ送信する制御を行うものである。
また、画像比較部１７３は、画像入力部１７２から送られた画像を基準画像としてバッファ１７４へ送るものである。
また、画像比較部１７３は、画像入力部１７２から送られた画像から顔画像を抽出し、ユーザ画像情報記憶部１７７に記憶された顔画像データを参照して、一致するか否かを判定する。そして、画像比較部１７３は、その判定結果を制御部１３へ送信する制御を行うものである。
また、画像比較部１７３は、制御部１３からの指令に応じてＣＣＤカメラ１６により撮像した画像に基づいて対象物やユーザを特定するための画像データを登録する制御を行うものである。
【００６３】
バッファ１７４は、画像比較部１７３から送られた画像を基準画像として記憶し、画像の差分判定のために画像比較部１７３より読み出されるものである。
【００６４】
対象物画像情報記憶部１７６は、画像入力部１７２から送られた対象物画像データを、その対象物を特定する対象物ＩＤに対応付けてテーブル化し、記憶するものである。このテーブルは、対象物画像データテーブルとして機能するものである。
【００６５】
ユーザ画像情報記憶部１７７は、画像入力部１７２から送られた顔画像データを、ユーザを特定するユーザＩＤ（ＵＩＤ）に対応付けてテーブル化し、記憶するものである。このテーブルは、ユーザ画像データテーブルとして機能するものである。
【００６６】
このように、画像検出部１７は、対象物を特定可能な複数種類の対象物情報と複数の外部入力の何れかを特定するための外部入力情報とがそれぞれ対応付けられて記憶された対象物記憶手段の一部を構成する。
また、画像検出部１７は、撮像手段によって撮像された画像に基づいて画像の変化を検出する画像検出手段を構成する。
また、画像検出部１７は、画像検出手段によって画像の変化が検出されたときに、対象物記憶手段に記憶された対象物情報に基づいて、何れの対象物が移動したかを判定する対象物判定手段を構成する。
また、画像検出部１７は、個人の顔を特定可能な顔情報が記憶された顔情報記憶手段を構成する。
【００６７】
次に、以上のような構成を有するデジタルテレビジョン受像機１００において、対象物の変位を検出したときの処理について説明する。ＣＰＵ１３１では、図４に示す入力切換処理を行う。この入力切換処理は、所定時間毎（例えば、２ｍｓ毎）に起動される処理である。この処理は、入力切換プログラム１３５ａが実行されることにより実現される。
【００６８】
入力切換処理では、図４に示すように、ＣＰＵ１３１は、画像検出部１７から送信される対象物ＩＤデータを受信したか否かを判定する（ステップＳ１０１）。
そして、ＣＰＵ１３１は、ステップＳ１０１において、対象物ＩＤデータを受信したと判定したときは、入力端子選択メモリ１３４ａに含まれる、図８（ａ）に示される入力端子選択テーブルから、当該受信した対象物ＩＤデータに対応するテーブルを読み出す処理を行う（ステップＳ１０２）。一方、ＣＰＵ１３１は、ステップＳ１０１において、対象物ＩＤデータを受信したと判定しなかったときは、再度ステップＳ１０１の処理を実行する。
そして、ＣＰＵ１３１は、図８（ａ）に示される入力端子選択テーブルを参照して、受信した対象物ＩＤに対応する外部入力端子の切換えを行う（ステップＳ１０３）。具体的には、ＣＰＵ１３１は、受信した対象物ＩＤに対応する外部入力端子への入力切換選択を指示する制御信号を入力切換部１５へ出力する。その結果、入力切換部１５は、制御部１３からの制御信号に従って、制御部１３が受信した対象物ＩＤに対応して設定されている外部入力端子に入力を切換える。
そして、ＣＰＵ１３１は、画像検出部１７から送信されるユーザＩＤデータを受信したか否かを判定する（ステップＳ１０４）。
そして、ＣＰＵ１３１は、ステップＳ１０４において、ユーザＩＤデータを受信したと判定したときは、音量設定メモリ１３４ｂに含まれる、図８（ｂ）に示される音量設定テーブルを参照して、受信したユーザＩＤデータに対応するユーザ名データを読み出す（ステップＳ１０５）。一方、ＣＰＵ１３１は、ステップＳ１０４において、ユーザＩＤデータを受信したと判定しなかったときは、再度ステップＳ１０４の処理を実行する。
そして、ＣＰＵ１３１は、音量設定テーブルを参照して、受信したユーザＩＤデータに対応するガイド言語の設定を行う（ステップＳ１０６）。ガイド言語の設定を行うことにより、表示部１１の表示領域１１ａには、設定した言語にて各種案内が表示される。設定可能な言語としては、例えば、日本語、英語、フランス語、中国語、スペイン語等である。
【００６９】
そして、ＣＰＵ１３１は、電源操作信号を送信する処理を行う（ステップＳ１０７）。具体的には、ＣＰＵ１３１は、図８（ａ）に示される入力端子選択テーブルを参照して、受信した対象物ＩＤに対応する外部機器の電源を投入するかを決定するための電源ボタンデータがあるか否かを判断する。ＣＰＵ１３１は、電源ボタンデータがあると判断した場合には、遠隔操作信号出力部１９へ、対象となった外部機器の電源を操作するための赤外線信号を遠隔操作装置１８により出力させるためのデータを送る。その結果、遠隔操作信号出力部１９は、遠隔操作装置１８へ、対象となった外部機器の電源を操作するための赤外線信号を出力させるためのデータを無線出力する。すると、遠隔操作装置１８は、遠隔操作信号出力部１９からのデータに基づいて、対象となった外部機器の電源を操作するための赤外線信号を投光部より出力する。すると、対象となった外部機器は、受光部よりこの赤外線信号を受信し、電源をＯＮにする。
【００７０】
次に、ＣＰＵ１３１は、音声出力部１２から出力される音声の音量を設定する処理を行う（ステップＳ１０８）。具体的には、ＣＰＵ１３１は、図８（ｂ）に示される音量設定テーブルを参照して、受信したユーザＩＤ及び入力が切換えられた外部入力端子（１４１〜１４４）に対応する音量に設定する処理を行う。
【００７１】
このように、ＣＰＵ１３１は、音量設定情報記憶手段に記憶された音量設定データに基づいて、入力切換手段によって切換えられた外部入力に応じた音量に設定する音量設定手段を構成する。
【００７２】
次に、ＣＰＵ１３１は、外部音声機器としてのオーディオアンプ５０１の電源の設定を行う外部音声機器電源設定処理を実行する（ステップＳ１０９）。
ここで、図５を参照して外部音声機器電源設定処理について詳述する。
【００７３】
外部音声機器電源設定処理では、図５に示すように、ＣＰＵ１３１は、外部音声機器電源設定メモリ１３４ｃに含まれる、図８（ｃ）に示される外部音声機器電源設定テーブルを参照し、受信したユーザＩＤデータ及び入力が切換えられた外部入力端子（１４１〜１４４）に対応する電源設定データを読み出す（ステップＳ１９１）。
そして、ＣＰＵ１３１は、当該電源設定データが、オーディオアンプ５０１の電源を操作する対象のものであるかを判定する（ステップＳ１９２）。
そして、ＣＰＵ１３１は、ステップＳ１９２において、オーディオアンプ５０１の電源を操作する対象のものであると判定した場合は、遠隔操作信号出力部１９へ、オーディオアンプ５０１の電源を操作するための赤外線信号を遠隔操作装置１８により出力させるための外部音声機器電源遠隔操作信号を送る（ステップＳ１９３）。その結果、遠隔操作信号出力部１９は、遠隔操作装置１８へ、オーディオアンプ５０１の電源を操作するための赤外線信号を出力させるためのデータを無線出力する。すると、遠隔操作装置１８は、遠隔操作信号出力部１９からのデータに基づいて、オーディオアンプ５０１の電源を操作するための赤外線信号を投光部より出力する。すると、オーディオアンプ５０１は、受光部よりこの赤外線信号を受信し、電源をＯＮにする。
そして、ＣＰＵ１３１は、外部音声機器電源設定テーブルを参照し、オーディオアンプ５０１における複数の入力部の何れに選択するかを示す入力選択データがあるか否かを判定する（ステップＳ１９４）。
そして、ＣＰＵ１３１は、ステップＳ１９４において、入力選択データがあると判定したときは、遠隔操作信号出力部１９へ、入力選択データに対応する遠隔操作信号を出力する処理を行い（ステップＳ１９５）、このルーチンを終了する。すなわち、ＣＰＵ１３１は、遠隔操作信号出力部１９へ、オーディオアンプ５０１の入力部を指定するための赤外線信号を遠隔操作装置１８により出力させるためのデータを送る。その結果、遠隔操作信号出力部１９は、遠隔操作装置１８へ、オーディオアンプ５０１の入力部を指定するための赤外線信号を出力させるためのデータを無線出力する。すると、遠隔操作装置１８は、遠隔操作信号出力部１９からのデータに基づいて、オーディオアンプ５０１の入力部を指定するための赤外線信号を投光部より出力する。すると、オーディオアンプ５０１は、受光部よりこの赤外線信号を受信し、複数の入力部のうちの指定された入力部からの音声信号を入力する制御を行う。
一方、ＣＰＵ１３１は、ステップＳ１９４において、入力選択データがあると判定しなかったときは、ステップＳ１９５の処理を行うことなく、このルーチンを終了する。
また、ＣＰＵ１３１は、ステップＳ１９２において、オーディオアンプ５０１の電源を操作する対象のものであると判定しなかった場合は、オーディオアンプ５０１の電源がＯＮ状態であったか否かを判定する（ステップＳ１９６）。
そして、ＣＰＵ１３１は、ステップＳ１９６において、オーディオアンプ５０１の電源がＯＮ状態であったと判定したときは、オーディオアンプ５０１の電源をＯＦＦにするために、遠隔操作信号出力部１９へ、オーディオアンプ５０１の電源を操作するための赤外線信号を遠隔操作装置１８により出力させるための外部音声機器電源遠隔操作信号を送り（ステップＳ１９７）、このルーチンを終了する。ここで、遠隔操作装置１８より出力される電源を操作するための赤外線信号は、オーディオアンプ５０１の電源をＯＮにする場合と、ＯＦＦにする場合とで同一の信号が用いられているので、制御の内容は、ステップＳ１９３で実行するものと同様である。
一方、ＣＰＵ１３１は、ステップＳ１９６において、オーディオアンプ５０１の電源がＯＮ状態であったと判定しなかったときは、ステップＳ１９７の処理を行うことなく、このルーチンを終了する。
【００７４】
ＣＰＵ１３１は、外部音声機器電源設定処理を終了すると、図４のステップＳ１１０において、ＯＳＤ設定表示処理を実行し、このルーチンを終了する。具体的には、例えば、図１９（ｂ）に示すように、ＣＰＵ１３１は、表示領域１１ａのＯＳＤ表示部１００２に、対象物の変位、その対象物を所持するユーザの他、ステップＳ１０６〜ステップＳ１０９において設定された結果が認識可能に表示されるように制御を行う。
【００７５】
次に、以上のような構成を有するデジタルテレビジョン受像機１００において、ＴＶリモコン２より、ＴＶリモコン２の所定の操作により出力される外部入力端子の切換設定を行うための信号を受信したときの処理ついて説明する。ＣＰＵ１３１では、図６に示す外部入力端子切換設定処理を行う。この外部入力端子切換設定処理は、ＴＶリモコン２より出力された、外部入力端子の切換設定を行うための信号をリモコン信号受光部３によって受信したときに実行される処理である。この処理は、外部入力端子切換設定プログラム１３５ｂが実行されることにより実現される。
【００７６】
このように、ＣＰＵ１３１は、所定の登録操作を受け付ける登録操作受付手段を構成する。
【００７７】
外部入力端子切換設定処理では、図６に示すように、ＣＰＵ１３１は、設定を行う外部入力端子が選択されたか否かを判定する（ステップＳ２０１）。具体的には、図９（ａ）に示すように、ユーザが、表示領域１１ａに表示された案内に従って、ＴＶリモコン２を操作して外部入力端子を選択することにより、ＣＰＵ１３１が、ＴＶリモコン２から出力される赤外線信号に基づいて、何れの外部入力端子が選択されたのかを検出することにより行われる。
ＣＰＵ１３１は、ステップＳ２０１において、外部入力端子が選択されたと判定したときは、ステップＳ２０２の処理を実行し、外部入力端子が選択されたと判定しなかったときは、再度ステップＳ２０１の処理を行う。
【００７８】
次に、ＣＰＵ１３１は、ステップＳ２０２において、入力端子選択メモリ１３４ａに入力端子選択テーブルを作成する。具体的には、ＣＰＵ１３１は、図８（ａ）に示すように、対象物ＩＤ毎に、選択した入力端子、名称、電源ボタンの赤外線送信データを記憶できるようにする。
【００７９】
次に、ＣＰＵ１３１は、ステップＳ２０３において、対象物としてのリモコンの形状を特定するための画像データをインターネット回線を経由してメーカーからダウンロードにより入手するか、リモコンを撮像して画像データを生成するかの何れかを選択したかを判定する。具体的には、図９（ａ）に示すように、ユーザが、表示領域１１ａに表示された案内に従って、ＴＶリモコン２を操作して入手方法を選択することにより、ＣＰＵ１３１が、ＴＶリモコン２から出力される赤外線信号に基づいて、何れの入手方法が選択されたのかを検出することにより行われる。
ＣＰＵ１３１は、ステップＳ２０３において、入手方法の選択が行われたと判定したときは、ステップＳ２０４の処理を実行し、入手方法の選択が行われたと判定しなかったときは、再度ステップＳ２０３の処理を行う。
【００８０】
次に、ＣＰＵ１３１は、ステップＳ２０４において、選択した入手方法がリモコンを撮像して画像データを生成するものであるか否かを判定する。ＣＰＵ１３１は、ステップＳ２０４において、画像データを生成するものであると判定したときは、ステップＳ２０５の処理を実行し、画像データを生成するものであると判定しないとき、すなわち、インターネット回線を経由してメーカーからダウンロードにより入手するものであるときは、ステップＳ２０７の処理を実行する。
【００８１】
次に、ＣＰＵ１３１は、ステップＳ２０５において、ＣＣＤカメラ１６を用いてリモコンを撮像し、これに基づいて画像データを生成する画像取込処理を行う。具体的には、ＣＰＵ１３１は、画像検出部１７へ、リモコンの撮像を行うための準備を行うためのコマンドを送信し、画像検出部１７より、撮像準備が完了した旨のコマンドの受信を待つ。そして、ＣＰＵ１３１は、リモコンを撮像して画像検出部１７の対象物画像情報記憶部１７６に記憶させることにより登録を行うための撮像コマンドを送信し、画像検出部１７より、登録が完了した旨の登録完了コマンドの受信を待って終了するように制御を行う。ここで、登録完了コマンドには、撮像したリモコンと対応付けられた対象物ＩＤを示すデータが含まれており、ＣＰＵ１３１は、この対象物ＩＤデータを入力端子選択テーブルに記憶する制御を行う。なお、ＣＰＵ１３１は、リモコンの六面を撮像するように画像検出部１７の制御を行う。そして、ＣＰＵ１３１は、例えば、図９（ｂ）に示すように、リモコンの撮像の進行状況に応じて表示領域１１ａに撮像方法についてのガイド表示を行う。
【００８２】
次に、ＣＰＵ１３１は、ステップＳ２０６において、設定を行う外部入力端子１４１〜１４４に接続される外部機器へ、電源を操作するための赤外線信号を遠隔操作装置１８より出力するか否かの設定を行う自動電源設定処理を実行する。具体的には、ＣＰＵ１３１は、図９（ｃ）に示すように、対象である外部機器のリモコン、すなわち、ステップＳ２０５において撮像されたリモコンの電源ボタンを操作したときに発信される赤外線信号がリモコン信号受光部３にて受光されるように表示領域１１ａにガイド表示を行う。そして、ＣＰＵ１３１は、この赤外線信号が遠隔操作装置１８より送信できるように、この赤外線信号に対応する電源ボタンデータを入力端子選択テーブルに記憶する。なお、遠隔操作装置１８より電源を操作するための赤外線信号を出力しない場合には、ＴＶリモコン２にて所定の操作（例えば、図９（ｃ）に示すように「青色」ボタンを操作）が行われると、ＣＰＵ１３１は、電源ボタンデータの記憶を行わずにこの処理を終了するようにする。
【００８３】
一方、ＣＰＵ１３１は、ステップＳ２０７において、対象物としてのリモコンの形状を特定するための画像データをインターネット回線を経由してメーカーからダウンロードして画像検出部１７の対象物画像情報記憶部１７６に記憶させるためのインターネットデータ取得処理を実行する。具体的には、ＣＰＵ１３１は、図１０（ｄ）に示すように、対象である外部機器のリモコンの形状を示す画像データをメーカーからダウンロードするために、ＴＶリモコン２を操作してメーカー及び接続機器の型式を選択させるように表示領域１１ａにガイド表示を行う。そして、ＣＰＵ１３１は、ＴＶリモコン２によってメーカー及び型式の選択操作を受け付けると、ネットワークＮを介して、当該メーカーへ問い合わせ、該当する型式のリモコン画像データのダウンロードを行う。そして、ＣＰＵ１３１は、ダウンロードした画像データを画像検出部１７へ転送し、対象物画像情報記憶部１７６に当該画像データを記憶させるように制御する。ここで、画像検出部１７が対象物画像情報記憶部１７６にダウンロードした画像データを記憶させると、画像検出部１７から登録完了コマンドが送信される。そして、この登録完了コマンドには、撮像したリモコンと対応付けられた対象物ＩＤを示すデータが含まれており、ＣＰＵ１３１は、この対象物ＩＤデータを入力端子選択テーブルに記憶する制御を行う。
【００８４】
そして、ＣＰＵ１３１は、ステップＳ２０８において、今回作成された入力端子選択テーブルに対応する名称の選択操作があったか否かを判定する処理を行う。具体的には、ＣＰＵ１３１は、図１０（ｅ）に示すように、今回登録を行う外部入力端子１４１〜１４４に対応する名称を、ＴＶリモコン２を操作して選択させるように表示領域１１ａにガイド表示を行う。そして、ＣＰＵ１３１は、名称が選択されたと判定したときは、図１０（ｆ）に示すように、外部入力端子の切り替え設定が終了したことを表示領域１１ａに表示し、当該選択された名称を入力端子選択テーブルに記憶してこのルーチンを終了する。一方、名称が選択されたと判定しなかったときは、再度ステップＳ２０８の処理を行う。
【００８５】
このように、ＣＰＵ１３１は、所定の登録操作を受け付けたときに、撮像手段によって撮像された被撮像物に基づいて対象物情報を生成し、該生成した対象物情報と外部入力情報とを対応付けて対象物記憶手段に記憶する撮像対象物登録手段の一部を構成する。
また、ＣＰＵ１３１は、情報受付手段によって受け付けられた対象物情報と外部入力情報とを対応付けて対象物記憶手段に記憶する受付対象物登録手段を構成する。
【００８６】
次に、以上のような構成を有するデジタルテレビジョン受像機１００において、ＴＶリモコン２より、ユーザを登録するための設定を行うための信号を受信したときの処理ついて説明する。ＣＰＵ１３１では、図７に示すユーザ登録設定処理を行う。このユーザ登録設定処理は、ＴＶリモコン２より出力された、ユーザを登録するための設定を行うための信号をリモコン信号受光部３によって受信したときに実行される処理である。この処理は、ユーザ登録設定プログラム１３５ｃが実行されることにより実現される。
【００８７】
ＣＰＵ１３１は、ステップＳ３０１において、ユーザ登録を行う登録番号の選択が行われた否かを判定する処理を行う。具体的には、ＣＰＵ１３１は、図１１（ａ）に示すように、今回登録を行う登録番号を、ＴＶリモコン２を操作して選択させるように表示領域１１ａにガイド表示を行う。そして、ＣＰＵ１３１は、登録番号が選択されたと判定したときは、ステップＳ３０２の処理を実行し、登録番号が選択されたと判定しなかったときは、再度ステップＳ３０１の処理を実行する。
【００８８】
次に、ＣＰＵ１３１は、音量設定メモリ１３４ｂに、図８（ｂ）に示すように、音量設定テーブルを作成するとともに、外部音声機器電源設定メモリ１３４ｃに、図８（ｃ）に示すように、外部音声機器電源設定テーブルを作成する。具体的には、ＣＰＵ１３１は、図８（ｂ）に示すように、選択した登録番号に基づいてユーザＩＤを生成する。そして、ＣＰＵ１３１は、音量設定テーブルに、ユーザＩＤ毎に、ユーザ名、各入力端子毎の音量、ガイダンスの言語を記憶できるようにする。また、ＣＰＵ１３１は、図８（ｃ）に示すように、外部音声機器電源設定テーブルに、ユーザＩＤ毎に、赤外線信号によるオーディオアンプ５０１の電源操作を行うか否かを決定するための電源設定データを記憶できるようにする。
【００８９】
次に、ＣＰＵ１３１は、ステップＳ３０３において、各種ガイド表示を行う際に表示されるガイダンス言語の選択が行われたか否かを判定する処理を行う。具体的には、ＣＰＵ１３１は、図１１（ａ）に示すように、ユーザの所望するガイダンス言語を、ＴＶリモコン２を操作して選択させるように表示領域１１ａにガイド表示を行う。そして、ＣＰＵ１３１は、ガイダンス言語が選択されたと判定したときは、ステップＳ３０４の処理を実行し、ガイダンス言語が選択されたと判定しなかったときは、再度ステップＳ３０３の処理を実行する。
【００９０】
次に、ＣＰＵ１３１は、ステップＳ３０４において、外部入力端子毎の音量を設定する音量設定処理を行う。具体的には、ＣＰＵ１３１は、図１１（ａ）に示すように、表示領域１１ａの音量設定表示部１００４に外部入力端子毎の音量設定及びオーディオアンプ５０１に対して赤外線信号による電源操作を行うか否かを示す電源設定の内容を表示する。そして、ＣＰＵ１３１は、ユーザによるＴＶリモコン２の操作に応じて、音量の設定を行う外部入力端子の選択を行い、当該選択した外部入力端子の項目に対して音量の設定を行う。なお、設定が行われない項目については、初期値（Ｄｅｆａｕｌｔ値）が設定される。そして、ＣＰＵ１３１は、設定された内容を、音量設定テーブルに記憶する。また、ＣＰＵ１３１は、ユーザによるＴＶリモコン２の操作に応じて、オーディオアンプ５０１に対する赤外線信号による電源操作及び入力部の選択操作が行われる外部入力端子を選択し、当該選択した外部入力端子の項目に対して電源操作及び入力部の選択操作の設定を行う。例えば、外部入力端子２については、図１１（ａ）に示すように、外部入力端子２への切換操作が行われたときは、音声出力部１２から出力される音声の音量を０とし、オーディオアンプ５０１に対して遠隔操作装置１８によりオーディオアンプ５０１の電源を操作するための赤外線信号を出力するとともに、オーディオアンプ５０１の入力部について入力２を選択するための赤外線信号を出力するように、設定がなされている。そして、ＣＰＵ１３１は、設定された内容を、外部音声機器電源設定テーブルに記憶する。なお、オーディオアンプ５０１の電源を操作するための赤外線信号を遠隔操作装置１８により出力させるための外部音声機器電源遠隔操作信号や、オーディオアンプ５０１の入力部を指定するための赤外線信号を遠隔操作装置１８により出力させるためのデータについては、例えば、ＣＰＵ１３１は、オーディオアンプ５０１に付属するリモートコントローラの電源ボタンや入力切換ボタンを押下することにより出力される赤外線信号をリモコン信号受光部３より入力し、入力した赤外線信号に基づいてデータを生成し、ＥＰＲＯＭ１３４の所定の領域に記憶するようにしている。
また、ＣＰＵ１３１は、ユーザによるＴＶリモコン２の操作により、「設定しない」が選択された場合には、全ての項目について初期値が設定される。
【００９１】
次に、ＣＰＵ１３１は、ステップＳ３０５において、ユーザの名前を決定する名前選択処理を実行する。具体的には、ＣＰＵ１３１は、図１１（ａ）に示すように、表示領域１１ａに、ＴＶリモコン２にて、ユーザ名を選択あるいは入力させるようにガイド表示を行う。そして、ＣＰＵ１３１は、ＴＶリモコン２の操作に応じて、予め記憶されている複数の名前のうちの何れかを選択し、あるいは、入力内容を決定し、その結果を音量設定テーブルに記憶する。ここで、ＴＶリモコン２の操作により、「選択しない」が選択されたときは、ユーザ名として「Ｎｏ．Ｘ（登録番号に対応する数値）」が設定される。なお、ここで、「お父さん」と「お母さん」については、すでに使用されていることから、選択できないように表示されている。
【００９２】
次に、ＣＰＵ１３１は、ステップＳ３０６において、ＣＣＤカメラ１６を用いてユーザの顔を撮像し、これに基づいて画像データを生成する顔画像登録処理を行った後、このルーチンを終了する。具体的には、ＣＰＵ１３１は、図１１（ｂ）に示すように、表示領域１１ａに、顔の撮像が行われる旨の表示を行う。また、ＣＰＵ１３１は、画像検出部１７へ、顔の撮像を行うための準備を行うためのコマンドを送信し、画像検出部１７より、撮像準備が完了した旨のコマンドの受信を待つ。そして、ＣＰＵ１３１は、図１１（ｃ）に示すように、表示領域１１ａに顔の撮像を行うためのガイド表示を行った後、顔を撮像してこれに基づくデータを生成し、このデータを画像検出部１７のユーザ画像情報記憶部１７７に記憶させることにより登録を行うための顔画像取込コマンドを送信する。その後、画像検出部１７より、登録が完了した旨の顔画像取得完了コマンドの受信を待つ。そして、ＣＰＵ１３１は、顔画像取得完了コマンドを受信すると、図１２（ｄ）に示すように、表示領域１１ａに、顔の撮像が終了し、ユーザ登録が完了した旨の表示を行い、このルーチンを終了するように制御を行う。ここで、画像検出部１７へ出力される顔画像取込コマンドには、ユーザ画像情報記憶部１７７に記憶される顔画像のデータと対応付けて記憶されるように、ユーザＩＤを示すデータが含まれている。その結果、画像検出部１７では、ユーザＩＤに対応付けて顔画像のデータをユーザ画像情報記憶部１７７に記憶する制御が行われる。
【００９３】
次に、以上のような構成を有するデジタルテレビジョン受像機１００において、対象物が変位したことを検出したときの処理ついて説明する。画像検出部１７の画像比較部１７３では、図１３（ａ）に示す画像検出処理を行う。この画像検出処理は、所定時間毎（例えば、１秒毎）に実行される処理である。
【００９４】
まず、画像比較部１７３は、画像入力部１７２に入力されているＣＣＤカメラ１６から取得した取得画像を画像比較部１７３へ転送させる処理を行う（ステップＳ４０１）。
次に、画像比較部１７３は、バッファ１７４に記憶されている基準画像を画像比較部へ転送させる処理を行う（ステップＳ４０２）。
そして、画像比較部１７３は、取得画像と基準画像との画像の相違点を検出する差分判定を行う（ステップＳ４０３）。
そして、画像比較部１７３は、差分判定の結果、その差分が所定の閾値を超えるものであるか否かを判定し（ステップＳ４０４）、差分が閾値を超えるものと判定したときは、ステップＳ４０５の処理を行い、差分が閾値を超えるものと判定しなかったときは、ステップＳ４１０の処理を行う。
そして、画像比較部１７３は、取得画像から、転送画像と異なる部分である差分画像の抽出を行う（ステップＳ４０５）。
そして、画像比較部１７３は、抽出した差分画像のなかに、登録されたリモコン画像と一致するものがあるかを参照する（ステップＳ４０６）。具体的には、画像比較部１７３は、対象物画像情報記憶部１７６から図１６（ａ）に示される対象物画像データテーブルを読み出し、この対象物画像データテーブルに記憶された各リモコン画像と差分画像とを比較することにより行う。
そして、画像比較部１７３は、差分画像の中に、対象物画像データテーブルに記憶されたリモコン画像のうちの何れかと一致するものがあるか否かを判定する（ステップＳ４０７）。
そして、画像比較部１７３は、対象物画像データテーブルに記憶されたリモコン画像のうちの何れかと一致するものがあると判定したときは、ステップＳ４０８の処理を行い、対象物画像データテーブルに記憶されたリモコン画像のうちの何れかと一致するものがあると判定しないときは、ステップＳ４１０の処理を行う。
そして、画像比較部１７３は、一致したリモコン画像に対応する対象物ＩＤを示す対象物ＩＤデータを制御部１３へ送信する（ステップＳ４０８）。
そして、画像比較部１７３は、ユーザを検出するための顔画像検出処理を実行する（ステップＳ４０９）。顔画像検出処理については後述する。
【００９５】
次に、画像比較部１７３は、ステップＳ４０１において取得した取得画像を、次回の画像検出処理における基準画像として用いるために、バッファ１７４へ記憶し、このルーチンを終了する（ステップＳ４１０）。
【００９６】
ここで、ステップＳ４０９にて行われる顔画像検出処理について、図１３（ｂ）を参照して詳述する。
【００９７】
顔画像検出処理は、図１３（ｂ）に示すように、画像比較部１７３は、取得画像からユーザの顔画像を抽出する（ステップＳ４９１）。
次に、画像比較部１７３は、抽出した顔画像が、登録された顔画像と一致するものがあるかを参照する（ステップＳ４９２）。具体的には、画像比較部１７３が、ユーザ画像情報記憶部１７７に記憶された図１６（ｂ）に示されるユーザ画像データテーブルを読み出し、このユーザ画像データテーブルに記憶された各顔画像のデータと取得画像から抽出された顔画像とを比較することにより行われる。この場合、顔画像の特徴部分を抽出して比較を行う公知の顔認証処理などが適用できる。
そして、画像比較部１７３は、ユーザ画像データテーブルに記憶された顔画像データと一致するものがあるか否かを判定する（ステップＳ４９３）。
そして、画像比較部１７３は、ユーザ画像データテーブルに記憶された顔画像データと一致するものがあると判定したときは、一致した顔画像データに対応するユーザＩＤデータを制御部１３へ送信してこのルーチンを終了する（ステップＳ４９４）。
一方、画像比較部１７３は、ユーザ画像データテーブルに記憶された顔画像データと一致するものがあると判定しないときは、登録されたユーザ以外のゲストを示すユーザＩＤデータを制御部１３へ送信してこのルーチンを終了する（ステップＳ４９５）。
【００９８】
このように、画像検出部１７は、撮像手段によって撮像された画像に基づいて個人の顔を検出する顔検出手段を構成する。
また、画像検出部１７は、顔検出手段によって検出した個人の顔を、顔情報記憶手段に記憶された顔情報に基づいて何れの個人であるかを特定する個人特定手段を構成する。
【００９９】
次に、以上のような構成を有するデジタルテレビジョン受像機１００において、画像検出部１７が、制御部１３よりリモコンの撮像を行うための準備を行うためのコマンドを受信したときの処理ついて説明する。画像検出部１７の画像比較部１７３では、図１４（ａ）に示すリモコン画像取込準備処理を行う。
【０１００】
リモコン画像取込準備処理では、図１４（ａ）に示すように、画像比較部１７３は、リモコンを撮像して対象物画像データテーブルへ記憶するための対象物画像取込設定を行った後（ステップ５０１）、制御部１３へ撮像準備が完了した旨のコマンドを送信してこのルーチンを終了する（ステップＳ５０２）。
【０１０１】
次に、以上のような構成を有するデジタルテレビジョン受像機１００において、画像検出部１７が、制御部１３よりリモコンの撮像を行うための撮像コマンドを受信したときの処理について説明する。画像検出部１７の画像比較部１７３では、図１４（ｂ）に示すリモコン画像取込処理を行う。
【０１０２】
リモコン画像取込処理では、図１４（ｂ）に示すように、画像比較部１７３は、ＣＣＤカメラ１６から取得した画像から対象物であるリモコンの画像部分を抽出する（ステップＳ６０１）。
次に、画像比較部１７３は、図１６（ａ）に示される、対象物ＩＤが定められた対象物画像データテーブルを生成し、抽出した画像のデータを生成した対象物画像データテーブルに保存する（ステップＳ６０２）。
そして、画像比較部１７３は、保存先の対象物画像データテーブルに対応する対象物ＩＤデータが含まれた登録完了コマンドを制御部１３へ送信してこのルーチンを終了する（ステップＳ６０３）。
【０１０３】
このように、画像検出部１７は、登録操作受付手段によって所定の登録操作を受け付けたときに、撮像手段によって撮像された被撮像物に基づいて対象物情報を生成し、該生成した対象物情報と複数の外部入力のうちの何れかを特定する外部入力情報とを対応付けて対象物記憶手段に記憶する撮像対象物登録手段の一部を構成する。
【０１０４】
次に、以上のような構成を有するデジタルテレビジョン受像機１００において、画像検出部１７が、ダウンロードされたリモコン画像データが制御部１３より転送されたときの処理について説明する。画像検出部１７の画像比較部１７３では、図１４（ｃ）に示すリモコン画像データ登録処理を行う。
【０１０５】
リモコン画像データ登録処理では、図１４（ｃ）に示すように、画像比較部１７３は、制御部１３より転送されたデータを対象物画像データテーブルへ記憶するための対象物画像取込設定を行い（ステップＳ７０１）、転送されたダウンロードデータの展開を行う（ステップＳ７０２）。
次に、画像比較部１７３は、展開したダウンロードデータに含まれるリモコン画像データを、図１６（ａ）に示される、対象物画像データテーブルに保存する（ステップＳ７０３）。
そして、画像比較部１７３は、保存先の対象物画像データテーブルに対応する対象物ＩＤデータが含まれた登録完了コマンドを制御部１３へ送信してこのルーチンを終了する（ステップＳ７０４）。
【０１０６】
このように、画像検出部１７は、情報受付手段によって受け付けられた対象物情報と複数の外部入力のうちの何れかを特定する外部入力情報とを対応付けて対象物記憶手段に記憶する受付対象物登録手段の一部を構成する。
【０１０７】
次に、以上のような構成を有するデジタルテレビジョン受像機１００において、画像検出部１７が、制御部１３より顔の撮像を行うための準備を行うためのコマンドを受信したときの処理ついて説明する。画像検出部１７の画像比較部１７３では、図１５（ａ）に示す顔画像取込準備処理を行う。
【０１０８】
顔画像取込準備処理では、図１５（ａ）に示すように、画像比較部１７３は、顔を撮像して対象物画像データテーブルへ記憶するための顔画像取込設定を行った後（ステップ８０１）、制御部１３へ撮像準備が完了した旨のコマンドを送信してこのルーチンを終了する（ステップＳ８０２）。
【０１０９】
次に、以上のような構成を有するデジタルテレビジョン受像機１００において、画像検出部１７が、制御部１３より顔を撮像してこれに基づくデータを生成し、このデータを画像検出部１７のユーザ画像情報記憶部１７７に記憶させることにより登録を行うための顔画像取込コマンドを受信したときの処理について説明する。画像検出部１７の画像比較部１７３では、図１５（ｂ）に示す顔画像取込処理を行う。
【０１１０】
顔画像取込処理では、図１５（ｂ）に示すように、画像比較部１７３は、ＣＣＤカメラ１６から取得した画像からユーザの顔部分に該当する顔画像部分を抽出する（ステップＳ９０１）。
次に、画像比較部１７３は、抽出した顔画像から特徴部分を抽出する（ステップＳ９０２）。具体的には、例えば、顔画像から目、鼻、耳、口を特定し、その形状を特徴として抽出する方法などが適用できる。
そして、画像比較部１７３は、図１６（ｂ）に示される、ユーザＩＤが定められたユーザ画像データテーブルを生成し、ユーザＩＤに対応付けて、抽出した特徴部分のデータを、生成したユーザ画像データテーブルに保存する（ステップＳ９０３）。ここで、ユーザＩＤは、制御部１３から送信される顔画像取込コマンドに含まれており、画像比較部１７３は、この顔画像取込コマンドのデータからユーザＩＤを特定するようにしている。
そして、画像比較部１７３は、顔画像取得完了コマンドを制御部１３へ送信してこのルーチンを終了する（ステップＳ９０４）。
【０１１１】
次に、図１７〜図２１を参照しながら、本実施形態のデジタルテレビジョン受像機１００における外部入力端子の切換え動作について説明する。
【０１１２】
図１７は、ユーザＵ３がＨＤＤリモコン２０２によってハードディスクレコーダ２０１を操作するべくＨＤＤリモコン２０２を把持している状態を示す図である。
【０１１３】
図１７に示すように、ユーザＵ３は、テーブルＴの前方に着座し、ハードディスクレコーダ２０１を操作するためにＨＤＤリモコン２０２を把持している。
このとき、画像検出部１７の画像比較部１７３が、ＨＤＤリモコン２０２の移動を検出することとなる。すなわち、ＣＣＤカメラ１６が撮像した画像に基づいて、ＨＤＤリモコン２０２の移動の前後の画像（取得画像と基準画像）の差分判定を行う。このときにおける取得画像と基準画像を図１８に示す。図１８（ａ）は基準画像を示し、図１８（ｂ）は取得画像を示す。画像比較部１７３は、基準画像と取得画像との差分判定の結果が所定の閾値を超えたと判断すると、差分画像を抽出する。この差分画像には、ＨＤＤリモコン２０２の画像２０２´が含まれており、ＣＳチューナリモコン３０２の画像３０２´及びコントローラ４０２の画像４０２´は位置の変化がないため、差分画像には含まれない。そして、画像比較部１７３は、対象物画像データテーブルに記憶された画像データを参照し、差分画像に対象物ＩＤ「＃０００１」に対応するＨＤＤリモコン画像データと一致する画像を有すると判定する。すると、画像比較部１７３は、制御部１３へ判定結果に対応する対象物ＩＤデータの送信を行う。
また、画像比較部１７３は、取得画像からユーザＵ３の顔画像を抽出し、ユーザ画像データテーブルに記憶された顔画像データを参照し、ユーザＩＤ「＃１００３」に対応付けられたユーザであることが特定される。すると、画像比較部１７３は、制御部１３へ当該ユーザＩＤを示すユーザＩＤデータの送信を行う。
【０１１４】
制御部１３のＣＰＵ１３１は、この対象物ＩＤデータ及びユーザＩＤデータを受信すると、対象物ＩＤ「＃０００１」に対応する外部入力端子１（１４１）に切換え、遠隔操作装置１８により、オーディオアンプ５０１の電源をＯＮにし、入力部を１に切換えるように赤外線信号を送信させる。また、ＣＰＵ１３１は、音声出力部から出力される音量を０に設定する。そして、ＣＰＵ１３１は、図１９（ａ）に示す画面から図１９（ｂ）に示す画面に切り換えるとともに、図１９（ｂ）に示すように、表示領域１１ａの入力表示部１００１に、ユーザ名と外部入力端子１に対応する「入力１」の表示を行うとともに、ＯＳＤ表示部１００２に、ユーザＩＤ「＃１００３」に対応する「いちろうさん」によって対象物ＩＤ「＃０００１」に対応する「リモコン１」が移動された旨の表示、及び、設定された結果の表示を行う。また、ＣＰＵ１３１は、音量表示部１００３に、音量が０となった旨の表示を行う。
その後、ユーザＵ３によりハードディスクレコーダ２０１の再生操作がＨＤＤリモコン２０２によって行われると、記録媒体に記録された情報に基づく映像データがハードディスクレコーダ２０１より本体部１へ送信され、図１９（ｃ）に示すように、その内容が表示領域１１ａに表示される。なお、本実施形態で使用されるハードディスクレコーダ２０１は、外部入力端子の切換えが行われ、本体部１とのデータの送受信が可能となると、これに連動して電源が自動的にＯＮとなるように設定されている。
一方、オーディオアンプ５０１は、ハードディスクレコーダ２０１より音声データを受信することに基づいて、スピーカＳＰより音声の出力が行われる。
【０１１５】
図２０は、ユーザＵ４がコントローラ４０２によってゲーム機４０１にて実行されるゲームの操作を行うべくコントローラ４０２を把持している状態を示す図である。
【０１１６】
図２０に示すように、ユーザＵ４は、テーブルＴの前方に着座し、ゲーム機４０１にて実行されるゲームの操作を行うためにコントローラ４０２を把持している。
このとき、画面検出部１７の画像比較部１７３が、前述のようにして、コントローラ４０２の移動を検出することとなる。そして、画像比較部１７３は、図１６（ａ）に示すように、コントローラ画像データに対応する対象物ＩＤ「＃０００３」に対応する対象物ＩＤデータを制御部１３へ送信する。
また、画像比較部１７３は、前述のようにして、取得画像からユーザＵ４を特定し、ユーザＵ４を示すユーザＩＤ「＃１００４」に対応するユーザＩＤデータを制御部１３へ送信する。
【０１１７】
制御部１３のＣＰＵ１３１は、この対象物ＩＤデータ及びユーザＩＤデータを受信すると、対象物ＩＤ「＃０００３」に対応する外部入力端子３（１４３）に切替え、遠隔操作装置１８により、オーディオアンプ５０１の電源をＯＦＦにし、ゲーム機４０１の電源をＯＮにするように赤外線信号を送信させる。また、ＣＰＵ１３１は、音声出力部から出力される音量を２５に設定する。そして、ＣＰＵ１３１は、図２１（ａ）に示す画面から図２１（ｂ）に示す画面に切り換えるとともに、図１９（ｂ）に示すように、表示領域１１ａの入力表示部１００１に、ユーザ名と外部入力端子３に対応する「入力３」の表示を行うとともに、ＯＳＤ表示部１００２に、ユーザＩＤ「＃１００４」に対応する「じろうさん」によって対象物ＩＤ「＃０００３」に対応する「コントローラ１」が移動された旨の表示、及び、設定された結果の表示を行う。
その後、ゲーム機４０１は、遠隔操作装置１８からの赤外線信号により、電源がＯＮとなり、記録媒体に記録された記録情報に基づいて生成された映像データ及び音声データがゲーム機４０１より本体部１へ送信され、図２１（ｃ）に示すように、その内容が表示領域１１ａに表示され、音声出力部１２によって音声の出力が行われる。
【０１１８】
以上説明したように、本発明の実施形態によれば、撮像手段によって撮像された対象物が対象物記憶手段に記憶された対象物情報に基づいて対象物判定手段によって何れの対象物が移動したかが特定される。そして、特定された対象物に対応する外部入力に切換わる。その結果、例えば、外部入力に接続された機器のリモコンやコントローラなどの付属品を対象物としてその形態を記憶しておくことにより、所望の機器のリモコンやコントローラを手にとって移動させるだけで入力切換が行われる。そして、手に取ったリモコンやコントローラにて、そのまま当該選択された外部入力に接続された機器の操作を行うこともでき、操作者による外部入力の選択操作の手間が省略され、操作性の向上が図れる。
【０１１９】
また、本発明の実施形態によれば、所定の登録操作を受け付けたときに、被撮像物が撮像手段によって撮像され、これに基づいて対象物情報が生成される。そして、生成された対象物情報は、複数の外部入力情報のうちの何れかに対応付けられて記憶される。その結果、入力切換装置に新たに機器を接続するような場合でも、当該機器についても本発明の構成に好適に適用することが可能となり、利便性が向上する。
【０１２０】
また、本発明の実施形態によれば、外部より対象物情報が受け付けられると、当該受け付けた対象物情報は、複数の外部入力情報のうちの何れかに対応付けられて記憶される。その結果、例えば、デジタル放送やインターネットによりメーカーから対象物情報をダウンロードしたり、メディアから受け付けたりしてこれを利用することができ、入力切換装置に新たに機器を接続するような場合でも、当該機器についても本発明の構成に好適に適用することが可能となり、利便性が向上する。
【０１２１】
また、本発明の実施形態によれば、入力切換手段によって特定された対象物に対応する外部入力へ切り換わると、これに対応する音量設定データに基づいて音量の設定が行われる。その結果、入力が切り換わる毎に音量設定が自動的に行われるので、入力切換毎の音量調整が不要となり、利便性が向上する。
【０１２２】
また、本発明の実施形態によれば、記憶された顔情報に基づき、撮像手段によって撮像された個人が特定される。そして、入力切換手段によって切換えられた外部入力に接続された機器の音量が、特定された個人に応じた音量に設定される。その結果、個人の好みに合わせた音量調整操作を省略することができるので、利便性が向上する。
【０１２３】
なお、本発明の実施形態では、本発明に係る入力切換装置をテレビジョン受像機であるデジタルテレビジョン受像機１００に適用したが、例えば、複数の音響装置と接続可能であって、接続された複数の音響装置の何れかを選択して音声の出力を行うＡＶアンプ等、他の装置に適用してもよい。
【０１２４】
また、本発明の実施形態では、ＣＣＤカメラ１６によって撮像されたリモコン等の画像に基づいて対象物情報を生成して追加的に記憶し、この記憶された対象物情報に基づいて、移動した対象物の特定を行うようにしたが、対象物情報を予め記憶されているものに限定し、追加的に対象物情報の記憶ができないものであってもよい。
【０１２５】
また、本発明の実施形態では、ＣＣＤカメラ１６によって撮像されたリモコン等に基づいて対象物情報を生成したが、撮像装置を別途設け、別途設けられた撮像装置により撮像したリモコン等に基づいて対象物情報を生成するようにしてもよい。
【０１２６】
また、本発明の実施形態では、インターネット経由で対象物情報をダウンロードするようにしたが、外部機器と接続し、当該外部機器より対象物情報を読み出したり、記録媒体読取装置を設け、例えば、ＣＤ−ＲＯＭやＤＶＤ−ＲＯＭに記録された対象物情報を読み出したりして実現してもよい。
また、このような機能を有していなくてもよい。
【０１２７】
また、本発明の実施形態では、外部入力端子毎に対応して音量の設定が可能であったが、このような機能を有していなくてもよい。
【０１２８】
また、本発明の実施形態では、ユーザの顔を撮像してユーザを特定し、音声の出力に関し、ユーザ毎に設定された音量に変更するようにしたが、このような機能を有していなくてもよい。
また、個人を特定する手段として、例えば、光彩によってユーザを特定するようにしてもよい。
【０１２９】
また、本発明の実施形態では、リモコン等を撮像し、この撮像したリモコン等の画像に基づいて対象物情報を生成して記憶し、この対象物情報に基づいて移動したリモコン等の特定を行うようにしたが、対象物として登録するものに特定形状の識別体などを取り付けて、この識別体を撮像手段によって撮像し、この撮像した識別体の画像に基づいて対象物情報を生成して記憶し、この記憶した対象物情報に基づいて移動したリモコン等の特定を行うようにしてもよい。
【０１３０】
また、本発明の実施形態では、遠隔操作装置１８と本体部１とを無線通信によりデータの送受信を行うようにしたが、ケーブルにより接続された態様であってもよい。
【０１３１】
また、本発明の実施形態では、入力端子毎及びユーザ毎に音量の設定を可能にしたが、画質やその他の調整についても設定ができるようにしてもよい。
【０１３２】
また、本発明の実施形態では、ゲーム機４０１に対して遠隔操作装置１８より電源を操作するための赤外線信号を送信するようにしたが、もちろん、他の外部機器に対しても送信できるようにしてもよく、また、遠隔操作装置１８を設けず、電源を操作するための赤外線信号を送信しない構成としてもよい。
また、電源を操作するための信号の送受信を無線信号により行うようにしてもよい。この場合、出力信号について指向性の影響を受けにくくなるので、遠隔操作装置１８を本体部１に内蔵することもできる。
【符号の説明】
【０１３３】
１００  デジタルテレビジョン受像機
１  本体部
２  ＴＶリモコン
３  リモコン信号受光部
１１  表示部
１１ａ  表示領域
１２  音声出力部
１３  制御部
１３１  ＣＰＵ
１３４  ＥＰＲＯＭ
１３４ａ  入力端子選択メモリ
１３４ｂ  音量設定メモリ
１３４ｃ  外部音声機器電源設定メモリ
１３５  ＲＯＭ
１３５ａ  入力切換プログラム
１３５ｂ  外部入力端子切換設定プログラム
１３５ｃ  ユーザ登録設定プログラム
１４  入力端子部
１４１〜１４４  外部入力端子
１５  入力切換部
１６  ＣＣＤカメラ
１７  画像検出部
１７２  画像入力部
１７３  画像比較部
１７４  バッファ
１７６  対象物画像情報記憶部
１７７  ユーザ画像情報記憶部
１８  遠隔操作装置
１９  遠隔操作信号出力部
２０  ＬＡＮインターフェース
２０１  ハードディスクレコーダ
２０２  ＨＤＤリモコン
３０１  ＣＳチューナ
３０２  ＣＳチューナリモコン
４０１  ゲーム機
４０２  コントローラ
５０１  オーディオアンプ
【図１】
2010283559.tif 000003
【図２】
2010283559.tif 000004
【図３】
2010283559.tif 000005
【図４】
2010283559.tif 000006
【図５】
2010283559.tif 000007
【図６】
2010283559.tif 000008
【図７】
2010283559.tif 000009
【図８】
2010283559.tif 000010
【図９】
2010283559.tif 000011
【図１０】
2010283559.tif 000012
【図１１】
2010283559.tif 000013
【図１２】
2010283559.tif 000014
【図１３】
2010283559.tif 000015
【図１４】
2010283559.tif 000016
【図１５】
2010283559.tif 000017
【図１６】
2010283559.tif 000018
【図１７】
2010283559.tif 000019
【図１８】
2010283559.tif 000020
【図１９】
2010283559.tif 000021
【図２０】
2010283559.tif 000022
【図２１】
2010283559.tif 000023